(57)【要約】【課題】  無線基地装置の通信状態に基づいて適切に通信方式を選択することにより無線基地装置の通信能力の向上を図ることが可能な無線基地装置、通信方式選択方法および通信方式選択プログラムを提供する。【解決手段】  無線基地装置は、同一スロットにおいて多重化された無線信号を受信して複数あるいは単数の無線端末装置からのデータを抽出する第１の通信モードと、第１の通信モードより少ない数で同一スロットにおいて多重化された無線信号を受信して複数あるいは単数の無線端末装置からのデータを抽出する、あるいは多重化されていない無線信号を受信して単数の無線端末装置からのデータを抽出する第２の通信モードとを選択的に実行する受信処理部１００と、無線端末装置との通信状態を検出する通信状態検出部５１と、検出された通信状態に基づいて、受信処理部１００に第１の通信モードを実行させるか、または第２の通信モードを実行させるかを選択する通信方式選択部５０とを備える。【選択図】        図１
2006287727.tif 000002
【特許請求の範囲】
【請求項１】
無線端末装置と通信する無線基地装置であって、
同一スロットにおいて多重化された無線信号を受信して複数あるいは単数の前記無線端末装置からのデータを抽出する第１の通信モードと、前記第１の通信モードより少ない数で同一スロットにおいて多重化された無線信号を受信して複数あるいは単数の前記無線端末装置からのデータを抽出する、あるいは多重化されていない無線信号を受信して単数の前記無線端末装置からのデータを抽出する第２の通信モードとを選択的に実行する受信処理部と、
前記無線端末装置との通信状態を検出する通信状態検出部と、
前記検出された通信状態に基づいて、前記受信処理部に前記第１の通信モードを実行させるか、または前記第２の通信モードを実行させるかを選択する通信方式選択部とを備える無線基地装置。
【請求項２】
前記通信方式選択部は、所定の多値数以上の変調方式で前記無線基地装置と通信している前記無線端末装置の数が所定台数以上である場合には、前記第２の通信モードを実行させることを選択し、前記所定の多値数以上の変調方式で前記無線基地装置と通信している前記無線端末装置の数が前記所定台数未満である場合には、前記第１の通信モードを実行させることを選択する請求項１記載の無線基地装置。
【請求項３】
前記通信方式選択部は、前記受信信号の受信レベルが所定の範囲外である前記無線端末装置の数が所定台数以上である場合には、前記第２の通信モードを実行させることを選択し、前記受信信号の受信レベルが前記所定の範囲外である前記無線端末装置の数が前記所定台数未満である場合には、前記第１の通信モードを実行させることを選択する請求項１記載の無線基地装置。
【請求項４】
無線端末装置と通信する無線基地装置であって、
複数あるいは単数の前記無線端末装置へのデータを同一スロットにおいて多重して無線信号を生成し、前記生成した無線信号を送信する第１の通信モードと、複数あるいは単数の前記無線端末装置への前記第１の通信モードより少ない数のデータを同一スロットにおいて多重して無線信号を生成し、あるいは単数の前記無線端末装置へのデータから多重化されていない無線信号を生成し、前記生成した無線信号を送信する第２の通信モードとを選択的に実行する送信処理部と、
前記無線端末装置との通信状態を検出する通信状態検出部と、
前記検出された通信状態に基づいて、前記送信処理部に前記第１の通信モードを実行させるか、または前記第２の通信モードを実行させるかを選択する通信方式選択部とを備える無線基地装置。
【請求項５】
前記通信方式選択部は、所定の多値数以上の変調方式で前記無線基地装置と通信している前記無線端末装置の数が所定台数以上である場合には、前記第２の通信モードを実行させることを選択し、前記所定の多値数以上の変調方式で前記無線基地装置と通信している前記無線端末装置の数が前記所定台数未満である場合には、前記第１の通信モードを実行させることを選択する請求項４記載の無線基地装置。
【請求項６】
前記通信方式選択部は、前記受信信号の受信レベルが所定の範囲外である前記無線端末装置の数が所定台数以上である場合には、前記第２の通信モードを実行させることを選択し、前記受信信号の受信レベルが前記所定の範囲外である前記無線端末装置の数が前記所定台数未満である場合には、前記第１の通信モードを実行させることを選択する請求項４記載の無線基地装置。
【請求項７】
無線端末装置と通信する無線基地装置における通信方式選択方法であって、
前記無線端末装置との通信状態を検出する通信状態検出ステップと、
前記検出された通信状態に基づいて、前記無線端末装置と通信する信号に第１の通信モードによる受信処理を行なうか、または第２の通信モードによる受信処理を行なうかを選択する通信方式選択ステップと、
前記通信方式選択ステップにおける選択に基づいて、同一スロットにおいて多重化された無線信号を受信して複数あるいは単数の前記無線端末装置からのデータを抽出する前記第１の通信モードと、前記第１の通信モードより少ない数で同一スロットにおいて多重化された無線信号を受信して複数あるいは単数の前記無線端末装置からのデータを抽出する、あるいは多重化されていない無線信号を受信して単数の前記無線端末装置からのデータを抽出する前記第２の通信モードとを選択的に実行する受信処理ステップとを含む通信方式選択方法。
【請求項８】
前記通信方式選択ステップにおいては、所定の多値数以上の変調方式で前記無線基地装置と通信している前記無線端末装置の数が所定台数以上である場合には、前記第２の通信モードを実行することを選択し、前記所定の多値数以上の変調方式で前記無線基地装置と通信している前記無線端末装置の数が前記所定台数未満である場合には、前記第１の通信モードを実行することを選択する請求項７記載の通信方式選択方法。
【請求項９】
前記通信方式選択ステップにおいては、前記受信信号の受信レベルが所定の範囲外である前記無線端末装置の数が所定台数以上である場合には、前記第２の通信モードを実行することを選択し、前記受信信号の受信レベルが前記所定の範囲外である前記無線端末装置の数が前記所定台数未満である場合には、前記第１の通信モードを実行することを選択する請求項７記載の通信方式選択方法。
【請求項１０】
無線端末装置と通信する無線基地装置における通信方式選択方法であって、
前記無線端末装置との通信状態を検出する通信状態検出ステップと、
前記検出された通信状態に基づいて、前記無線端末装置と通信する信号に第１の通信モードによる送信処理を行なうか、または第２の通信モードによる送信処理を行なうかを選択する通信方式選択ステップと、
前記通信方式選択ステップにおける選択に基づいて、複数あるいは単数の前記無線端末装置へのデータを同一スロットにおいて多重して無線信号を生成し、前記生成した無線信号を送信する第１の通信モードと、複数あるいは単数の前記無線端末装置への前記第１の通信モードより少ない数のデータを同一スロットにおいて多重して無線信号を生成し、あるいは単数の前記無線端末装置へのデータから多重化されていない無線信号を生成し、前記生成した無線信号を送信する第２の通信モードとを選択的に実行する送信処理ステップとを含む通信方式選択方法。
【請求項１１】
前記通信方式選択ステップにおいては、所定の多値数以上の変調方式で前記無線基地装置と通信している前記無線端末装置の数が所定台数以上である場合には、前記第２の通信モードを実行することを選択し、前記所定の多値数以上の変調方式で前記無線基地装置と通信している前記無線端末装置の数が前記所定台数未満である場合には、前記第１の通信モードを実行することを選択する請求項１０記載の通信方式選択方法。
【請求項１２】
前記通信方式選択ステップにおいては、前記受信信号の受信レベルが所定の範囲外である前記無線端末装置の数が所定台数以上である場合には、前記第２の通信モードを実行することを選択し、前記受信信号の受信レベルが前記所定の範囲外である前記無線端末装置の数が前記所定台数未満である場合には、前記第１の通信モードを実行することを選択する請求項１０記載の通信方式選択方法。
【請求項１３】
無線端末装置と通信する無線基地装置における通信方式選択プログラムであって、コンピュータに、
前記無線端末装置との通信状態を検出する通信状態検出ステップと、
前記検出された通信状態に基づいて、前記無線端末装置と通信する信号に第１の通信モードによる受信処理を行なうか、または第２の通信モードによる受信処理を行なうかを選択する通信方式選択ステップと、
前記通信方式選択ステップにおける選択に基づいて、同一スロットにおいて多重化された無線信号を受信して複数あるいは単数の前記無線端末装置からのデータを抽出する前記第１の通信モードと、前記第１の通信モードより少ない数で同一スロットにおいて多重化された無線信号を受信して複数あるいは単数の前記無線端末装置からのデータを抽出する、あるいは多重化されていない無線信号を受信して単数の前記無線端末装置からのデータを抽出する前記第２の通信モードとを選択的に実行する受信処理ステップとを実行させる通信方式選択プログラム。
【請求項１４】
前記通信方式選択ステップにおいては、所定の多値数以上の変調方式で前記無線基地装置と通信している前記無線端末装置の数が所定台数以上である場合には、前記第２の通信モードを実行することを選択し、前記所定の多値数以上の変調方式で前記無線基地装置と通信している前記無線端末装置の数が前記所定台数未満である場合には、前記第１の通信モードを実行することを選択する請求項１３記載の通信方式選択プログラム。
【請求項１５】
前記通信方式選択ステップにおいては、前記受信信号の受信レベルが所定の範囲外である前記無線端末装置の数が所定台数以上である場合には、前記第２の通信モードを実行することを選択し、前記受信信号の受信レベルが前記所定の範囲外である前記無線端末装置の数が前記所定台数未満である場合には、前記第１の通信モードを実行することを選択する請求項１３記載の通信方式選択プログラム。
【請求項１６】
無線端末装置と通信する無線基地装置における通信方式選択プログラムであって、コンピュータに、
前記無線端末装置との通信状態を検出する通信状態検出ステップと、
前記検出された通信状態に基づいて、前記無線端末装置と通信する信号に第１の通信モードによる送信処理を行なうか、または第２の通信モードによる送信処理を行なうかを選択する通信方式選択ステップと、
前記通信方式選択ステップにおける選択に基づいて、複数あるいは単数の前記無線端末装置へのデータを同一スロットにおいて多重して無線信号を生成し、前記生成した無線信号を送信する第１の通信モードと、複数あるいは単数の前記無線端末装置への前記第１の通信モードより少ない数のデータを同一スロットにおいて多重して無線信号を生成し、あるいは単数の前記無線端末装置へのデータから多重化されていない無線信号を生成し、前記生成した無線信号を送信する第２の通信モードとを選択的に実行する送信処理ステップとを実行させる通信方式選択プログラム。
【請求項１７】
前記通信方式選択ステップにおいては、所定の多値数以上の変調方式で前記無線基地装置と通信している前記無線端末装置の数が所定台数以上である場合には、前記第２の通信モードを実行することを選択し、前記所定の多値数以上の変調方式で前記無線基地装置と通信している前記無線端末装置の数が前記所定台数未満である場合には、前記第１の通信モードを実行することを選択する請求項１６記載の通信方式選択プログラム。
【請求項１８】
前記通信方式選択ステップにおいては、前記受信信号の受信レベルが所定の範囲外である前記無線端末装置の数が所定台数以上である場合には、前記第２の通信モードを実行することを選択し、前記受信信号の受信レベルが前記所定の範囲外である前記無線端末装置の数が前記所定台数未満である場合には、前記第１の通信モードを実行することを選択する請求項１６記載の通信方式選択プログラム。
【発明の詳細な説明】
【技術分野】
【０００１】
本発明は、無線基地装置、通信方式選択方法および通信方式選択プログラムに関し、特に複数のアンテナを使用して通信する無線基地装置、通信方式選択方法および通信方式選択プログラムに関する。
【背景技術】
【０００２】
移動体通信システム（たとえば、Personal Handy-Phone System：以下、ＰＨＳ）では、ＴＤＭＡ／ＴＤＤ（Time Division Multiple Access/Time Division Duplex）方式で通信を行なっている。ＰＨＳでは、１フレームが８スロットで構成され、上り（無線端末装置から無線基地装置への通信方向）４スロットおよび下り（無線基地装置から無線端末装置への通信方向）４スロットで構成される。
【０００３】
ここで、ＰＨＳでは、無線基地装置と無線端末装置との間の通信に際し、特に無線基地装置において、アダプティブアレイ処理により所望の特定の無線端末装置からの受信信号を抽出する方式が提案されている（たとえば、非特許文献１参照）。
【０００４】
アダプティブアレイ処理とは、無線基地装置の複数のアンテナからなるアレイアンテナを介して無線端末装置から受信した信号に基づいて、アンテナごとの受信係数（ウェイト）からなる受信ウェイトベクトルを算出し、受信した信号を受信ウェイトベクトルで重み付けして、所望の無線端末装置からの信号を正確に抽出する処理である。
【０００５】
このようなアダプティブアレイ処理を採用した無線基地装置においては、受信信号のシンボルごとに受信ウェイトベクトルを算出する受信ウェイトベクトル計算機が設けられる。受信ウェイトベクトル計算機は、受信信号の各フレームの先頭部分に設けられた既知の参照信号区間（ウェイト推定区間）において、受信信号と算出された受信ウェイトベクトルとの複素乗算和（アレイ出力信号）と、所望の無線端末装置に対応する既知の参照信号との誤差の２乗を減少させるよう受信ウェイトベクトルを収束させる処理を行なう。
【０００６】
アダプティブアレイ処理では、このような受信ウェイトベクトルの収束を、信号電波の伝搬路特性の変動に応じて適応的に行ない、受信信号中から干渉成分やノイズを除去し、所望の無線端末装置からの受信信号を抽出している。
【０００７】
このような受信ウェイトベクトル計算機では、たとえば、アレイ出力信号と参照信号との平均自乗誤差を計算し、その誤差を最小にするように受信ウェイトを算出する最小自乗誤差法（ＭＭＳＥ：Minimum Mean Square Error）を採用している。最小自乗誤差法には複数の制御アルゴリズムがあり、ＲＬＳ（Recursive Least Squares）アルゴリズム、ＬＭＳ（Least Mean Square）アルゴリズム、ＳＭＩ（Sample Matrix Inversion）アルゴリズムなどが知られている。
【０００８】
なお、ＲＬＳアルゴリズム、ＬＭＳアルゴリズムおよびＳＭＩアルゴリズムは、アダプティブアレイ処理の分野では周知の技術であるため、詳細な説明は省略する。
【０００９】
さて、アダプティブアレイ処理では、以上のごとく、特定の無線端末装置からの受信信号の抽出が可能になるが、これにとどまらず、送信信号の指向性を制御することも可能である（ＭＭＳＥ受信ウェイトコピー法。たとえば、非特許文献２参照）。
【００１０】
すなわち、無線基地装置では、受信ウェイトベクトル計算機が算出した受信ウェイトベクトルを参照して送信信号の重み付けをすることにより、特定の無線端末装置に対する送信指向性を決定する処理を行なうことができる。
【００１１】
すなわち、受信信号から算出した受信ウェイトベクトルを利用することで特定の無線端末装置の方向に送信電波のビームを向け、かつ、干渉源となる無線端末装置の方向に送信電波のヌルを向ける送信ウェイトが形成される。ここで、ビームとは各アンテナから放射された電波が強め合う方向を意味し、ヌルとは各アンテナから放射された電波が弱め合う方向を意味する。したがって、無線基地装置の送信電波が周辺の他の無線基地装置（セル）に与える干渉量である与干渉放射特性を抑制することができる。
【００１２】
以上のように、アダプティブアレイ処理を行なう無線基地装置では、アダプティブアレイ処理により受信電波に対する干渉を抑圧するだけではなく、前述のＭＭＳＥ受信ウェイトコピー法に基づく送信指向性制御により他の無線基地装置（セル）に対する与干渉放射特性を改善することができ、移動体通信システム全体として、周波数の利用効率を向上させることができる。
【００１３】
そして、このようなアダプティブアレイ処理を使用して同一周波数の信号を空間的に分離することにより、無線基地装置から異なる方向に位置する複数の無線端末装置と無線基地装置とが同一時刻に同一周波数の搬送波を使用して通信するＳＤＭＡ（Space Division Multiple Access）方式を採用する無線基地装置が知られている（たとえば、非特許文献３参照）。以下、ＳＤＭＡ方式における受信処理および送信処理について図面を参照して説明する。
【００１４】
図８は、ＳＤＭＡ受信処理部２００の構成を示す機能ブロック図である。
【００１５】
ＳＤＭＡ受信処理部２００は、ＳＤＭＡ受信部５２と、アダプティブアレイ受信処理部５３ａ〜アダプティブアレイ受信処理部５３ｃとを含む。
【００１６】
アダプティブアレイ受信処理部５３ａは、乗算器４ａ〜乗算器４ｄと、加算器５と、受信ウェイト生成部６と、受信ウェイト設定部７と、参照信号用メモリ８とを含む。
【００１７】
ＳＤＭＡ受信部５２は、図示しない４本のアンテナで受信した搬送波の周波数が同一であるＲＦ（Radio Frequency）帯の受信信号をベースバンド信号に周波数変換し、アナログ信号であるベースバンド信号をデジタル信号である受信データに変換する。
【００１８】
受信ウェイト生成部６は、加算器５から受けたアレイ受信データ中の参照信号に対応する部分と、参照信号用メモリ８から取得した参照信号とを比較することにより、前述の受信ウェイトベクトル計算機と同様の処理を行ない、生成したアンテナごとの受信ウェイトを受信ウェイト設定部７および後述するＳＤＭＡ送信処理部２０１へ出力する。
【００１９】
受信ウェイト設定部７は、受信ウェイト生成部６から受けたアンテナごとの受信ウェイトを乗算器４ａ〜乗算器４ｄへ出力する。
【００２０】
乗算器４ａ〜乗算器４ｄは、ＳＤＭＡ受信部５２から受けた受信データと受信ウェイト設定部７から受けた受信ウェイトとを複素乗算し、乗算結果を加算器５へ出力する。
【００２１】
加算器５は、乗算器４ａ〜乗算器４ｄから受けた各乗算結果を加算して、加算結果であるアレイ受信データを受信ウェイト生成部６および図示しない受信データ処理部へ出力する。
【００２２】
アダプティブアレイ受信処理部５３ｂ〜アダプティブアレイ受信処理部５３ｃの構成および基本動作はアダプティブアレイ受信処理部５３ａと同様である。
【００２３】
ここで、加算器５が出力するアレイ受信データが１台の無線端末装置に対応するデータとなる。したがって、ＳＤＭＡ受信処理部２００は、アダプティブアレイ受信処理部５３ａ〜アダプティブアレイ受信処理部５３ｃによって、図示しない４本のアンテナの受信信号から無線端末装置のデータを抽出することができる。
【００２４】
図９は、ＳＤＭＡ送信処理部２０１の構成を示す機能ブロック図である。
【００２５】
ＳＤＭＡ送信処理部２０１は、アダプティブアレイ送信処理部６１ａ〜６１ｃと、ＳＤＭＡ送信部６２と、加算器１７ａ〜加算器１７ｄとを含む。
【００２６】
アダプティブアレイ送信処理部６１ａは、送信ウェイト生成部９と、送信ウェイト設定部１５と、乗算器１６ａ〜乗算器１６ｄとを含む。
【００２７】
送信ウェイト生成部９は、アダプティブアレイ受信処理部５３の受信処理結果である受信ウェイト生成部６から受けたアンテナごとの受信ウェイトに基づいて、アンテナごとの送信ウェイトを生成し、送信ウェイト設定部１５へ出力する。
【００２８】
送信ウェイト設定部１５は、送信ウェイト生成部９から受けたアンテナごとの送信ウェイトを乗算器１６ａ〜乗算器１６ｄへ出力する。
【００２９】
乗算器１６ａ〜乗算器１６ｄは、図示しない送信データ処理部２２から受けた変調データと送信ウェイト設定部１５から受けたアンテナごとの送信ウェイトとを乗算することにより、送信指向性を有するアレイ送信データを生成し、加算器１７ａ〜加算器１７ｄへ出力する。
【００３０】
アダプティブアレイ送信処理部６１ｂ〜アダプティブアレイ送信処理部６１ｃの構成および基本動作はアダプティブアレイ送信処理部６１ａと同様である。
【００３１】
ここで、アダプティブアレイ送信処理部６１ａ〜アダプティブアレイ送信処理部６１ｃにおける送信ウェイト生成部９は、それぞれアダプティブアレイ受信処理部５３ａ〜アダプティブアレイ受信処理部５３ｃから出力された受信ウェイトに基づいて送信ウェイトを生成する。すなわち、アダプティブアレイ受信処理部５３ａ〜アダプティブアレイ受信処理部５３ｃと、アダプティブアレイ送信処理部６１ａ〜アダプティブアレイ送信処理部６１ｃとは、それぞれ同一の無線端末装置に対応する。
【００３２】
加算器１７ａ〜加算器１７ｄは、アダプティブアレイ送信処理部６１ａ〜アダプティブアレイ送信処理部６１ｃから受けた各無線端末装置に対応するアレイ送信データをそれぞれアンテナごとに加算して、加算された４系統のアレイ送信データをＳＤＭＡ送信部６２へ出力する。
【００３３】
ＳＤＭＡ送信部６２は、加算器１７ａ〜加算器１７ｄから受けたアレイ送信データをアナログ信号に変換し、アナログ信号を搬送波の周波数が同一である４系統の送信信号にそれぞれ周波数変換し、図示しない４本のアンテナへ出力する。
【００３４】
ここで、乗算器１６ａ〜乗算器１６ｄが出力するアレイ送信データが１台の無線端末装置に対応するデータとなる。したがって、ＳＤＭＡ送信処理部２０１は、無線端末装置ごとにアレイ送信データを生成し、これらをアンテナごとにアレイ合成して多重することができる。
【００３５】
一方、ＰＨＳでは、従来ひとつの変調方式（π／４シフトＱＰＳＫ変調方式）のみを規定していたが、電波伝搬路の状況等に応じてより大容量のデータ伝送が要望され、新たに多値数の多いＱＡＭ（直交振幅変調：Quadrature Amplitude Modulation）変調方式が追加採用されている。このような多値変調方式の一例として、１６ＱＡＭ変調方式などが知られている。
【００３６】
１６ＱＡＭ変調方式のような多値数の多い変調方式では、シンボル点同士の間隔が狭く、シンボル点が密集しているため、通信環境が悪い場合にはシンボル点を誤って認識する可能性が高く、π／４シフトＱＰＳＫ変調方式に比べて伝送速度が速い反面、受信エラーが生じやすいという問題点がある。
【００３７】
さらに、ＰＨＳでは、電波伝搬路の状況等に応じてより確実なデータ伝送が要望され、新たに多値数の少ないＢＰＳＫ変調方式が追加採用されている。ＢＰＳＫ変調方式は、π／４シフトＱＰＳＫ変調方式および１６ＱＡＭ変調方式に比べて伝送速度が遅い反面、雑音耐性が強いことから、通信環境が悪い場合でも、受信エラーが起きにくいという利点を有する。
【００３８】
このように、各変調方式は伝送速度および雑音耐性がそれぞれ異なるため、無線端末装置および無線基地装置が各変調方式のうち１つのみに対応するのではなく、通信環境に応じて各変調方式を選択する適応変調方式が従来から提案されている（例えば、特許文献１参照）。
【特許文献１】特開２００３−２９８６７０号公報
【非特許文献１】飯沼敏範他著、「アダプティブアレイアンテナ方式ＰＨＳ基地局」、「ＳＡＮＹＯ  ＴＥＣＨＮＩＣＡＬ  ＲＥＶＩＥＷ（三洋電機技報）」、三洋電機株式会社、２０００年５月１日発行、第３２巻、第１号、ｐ．８０−８８
【非特許文献２】笹岡秀一編著、「移動通信」、オーム社、１９９８年５月２５日発行、ｐ．２８３−３１２
【非特許文献３】土居義晴他著、「空間分割多元接続方式ＰＨＳ基地局」、「ＳＡＮＹＯ  ＴＥＣＨＮＩＣＡＬ  ＲＥＶＩＥＷ（三洋電機技報）」、三洋電機株式会社、２００１年１２月１０日発行、第３３巻、第３号、ｐ．９３−１０１
【発明の開示】
【発明が解決しようとする課題】
【００３９】
しかしながら、非特許文献２および特許文献１記載の無線基地装置は、ＳＤＭＡ方式および適応変調方式のいずれか一方にのみ対応する構成であり、ＳＤＭＡ方式および適応変調方式の両方に対応する構成ではない。
【００４０】
また、非特許文献２および特許文献１記載の無線基地装置を単に組み合わせた構成では、無線基地装置の通信状態に基づいて効率的に通信を行なうことができないという問題点があった。
【００４１】
また、前述のように多値数の多い変調方式では、シンボル点同士の間隔が狭く、シンボル点が密集しているため、多値数の少ない変調方式に比べて干渉波等の影響による受信エラーを発生しやすいという特性をもつ。
【００４２】
つまり無線基地装置および各無線端末装置の通信状態によっては、ＳＤＭＡ方式で多値数の多い変調の通信を行なっても、エラーの発生により無線端末装置の接続を維持できず、大容量の通信ができない場合がある。このような場合には、多重を行なわない従来の方式で通信を行なう方がエラーの発生が低減し、大容量の通信ができる。
【００４３】
それゆえに、本発明の目的は、無線基地装置の通信状態に基づいて適切に通信方式を選択することにより無線基地装置の通信能力の向上を図ることが可能な無線基地装置、通信方式選択方法および通信方式選択プログラムを提供することである。
【課題を解決するための手段】
【００４４】
上記課題を解決するために、この発明のある局面に係わる無線基地装置は、無線端末装置と通信する無線基地装置であって、同一スロットにおいて多重化された無線信号を受信して複数あるいは単数の無線端末装置からのデータを抽出する第１の通信モードと、第１の通信モードより少ない数で同一スロットにおいて多重化された無線信号を受信して複数あるいは単数の無線端末装置からのデータを抽出する、あるいは多重化されていない無線信号を受信して単数の無線端末装置からのデータを抽出する第２の通信モードとを選択的に実行する受信処理部と、無線端末装置との通信状態を検出する通信状態検出部と、検出された通信状態に基づいて、受信処理部に第１の通信モードを実行させるか、または第２の通信モードを実行させるかを選択する通信方式選択部とを備える。
【００４５】
好ましくは、通信方式選択部は、所定の多値数以上の変調方式で無線基地装置と通信している無線端末装置の数が所定台数以上である場合には、第２の通信モードを実行させることを選択し、所定の多値数以上の変調方式で無線基地装置と通信している無線端末装置の数が所定台数未満である場合には、第１の通信モードを実行させることを選択する。
【００４６】
好ましくは、通信方式選択部は、受信信号の受信レベルが所定の範囲外である無線端末装置の数が所定台数以上である場合には、第２の通信モードを実行させることを選択し、受信信号の受信レベルが所定の範囲外である無線端末装置の数が所定台数未満である場合には、第１の通信モードを実行させることを選択する。
【００４７】
上記課題を解決するために、この発明の別の局面に係わる無線基地装置は、無線端末装置と通信する無線基地装置であって、複数あるいは単数の無線端末装置へのデータを同一スロットにおいて多重して無線信号を生成し、生成した無線信号を送信する第１の通信モードと、複数あるいは単数の無線端末装置への第１の通信モードより少ない数のデータを同一スロットにおいて多重して無線信号を生成し、あるいは単数の無線端末装置へのデータから多重化されていない無線信号を生成し、生成した無線信号を送信する第２の通信モードとを選択的に実行する送信処理部と、無線端末装置との通信状態を検出する通信状態検出部と、検出された通信状態に基づいて、送信処理部に第１の通信モードを実行させるか、または第２の通信モードを実行させるかを選択する通信方式選択部とを備える。
【００４８】
好ましくは、通信方式選択部は、所定の多値数以上の変調方式で無線基地装置と通信している無線端末装置の数が所定台数以上である場合には、第２の通信モードを実行させることを選択し、所定の多値数以上の変調方式で無線基地装置と通信している無線端末装置の数が所定台数未満である場合には、第１の通信モードを実行させることを選択する。
【００４９】
好ましくは、通信方式選択部は、受信信号の受信レベルが所定の範囲外である無線端末装置の数が所定台数以上である場合には、第２の通信モードを実行させることを選択し、受信信号の受信レベルが所定の範囲外である無線端末装置の数が所定台数未満である場合には、第１の通信モードを実行させることを選択する。
【００５０】
上記課題を解決するために、この発明のある局面に係わる通信方式選択方法は、無線端末装置と通信する無線基地装置における通信方式選択方法であって、無線端末装置との通信状態を検出する通信状態検出ステップと、検出された通信状態に基づいて、無線端末装置と通信する信号に第１の通信モードによる受信処理を行なうか、または第２の通信モードによる受信処理を行なうかを選択する通信方式選択ステップと、通信方式選択ステップにおける選択に基づいて、同一スロットにおいて多重化された無線信号を受信して複数あるいは単数の無線端末装置からのデータを抽出する第１の通信モードと、第１の通信モードより少ない数で同一スロットにおいて多重化された無線信号を受信して複数あるいは単数の無線端末装置からのデータを抽出する、あるいは多重化されていない無線信号を受信して単数の無線端末装置からのデータを抽出する第２の通信モードとを選択的に実行する受信処理ステップとを含む。
【００５１】
好ましくは、通信方式選択ステップにおいては、所定の多値数以上の変調方式で無線基地装置と通信している無線端末装置の数が所定台数以上である場合には、第２の通信モードを実行することを選択し、所定の多値数以上の変調方式で無線基地装置と通信している無線端末装置の数が所定台数未満である場合には、第１の通信モードを実行することを選択する。
【００５２】
好ましくは、通信方式選択ステップにおいては、受信信号の受信レベルが所定の範囲外である無線端末装置の数が所定台数以上である場合には、第２の通信モードを実行することを選択し、受信信号の受信レベルが所定の範囲外である無線端末装置の数が所定台数未満である場合には、第１の通信モードを実行することを選択する。
【００５３】
上記課題を解決するために、この発明の別の局面に係わる通信方式選択方法は、無線端末装置と通信する無線基地装置における通信方式選択方法であって、無線端末装置との通信状態を検出する通信状態検出ステップと、検出された通信状態に基づいて、無線端末装置と通信する信号に第１の通信モードによる送信処理を行なうか、または第２の通信モードによる送信処理を行なうかを選択する通信方式選択ステップと、通信方式選択ステップにおける選択に基づいて、複数あるいは単数の無線端末装置へのデータを同一スロットにおいて多重して無線信号を生成し、生成した無線信号を送信する第１の通信モードと、複数あるいは単数の無線端末装置への第１の通信モードより少ない数のデータを同一スロットにおいて多重して無線信号を生成し、あるいは単数の無線端末装置へのデータから多重化されていない無線信号を生成し、生成した無線信号を送信する第２の通信モードとを選択的に実行する送信処理ステップとを含む。
【００５４】
好ましくは、通信方式選択ステップにおいては、所定の多値数以上の変調方式で無線基地装置と通信している無線端末装置の数が所定台数以上である場合には、第２の通信モードを実行することを選択し、所定の多値数以上の変調方式で無線基地装置と通信している無線端末装置の数が所定台数未満である場合には、第１の通信モードを実行することを選択する。
【００５５】
好ましくは、通信方式選択ステップにおいては、受信信号の受信レベルが所定の範囲外である無線端末装置の数が所定台数以上である場合には、第２の通信モードを実行することを選択し、受信信号の受信レベルが所定の範囲外である無線端末装置の数が所定台数未満である場合には、第１の通信モードを実行することを選択する。
【００５６】
上記課題を解決するために、この発明のある局面に係わる通信方式選択プログラムは、無線端末装置と通信する無線基地装置における通信方式選択プログラムであって、コンピュータに、無線端末装置との通信状態を検出する通信状態検出ステップと、検出された通信状態に基づいて、無線端末装置と通信する信号に第１の通信モードによる受信処理を行なうか、または第２の通信モードによる受信処理を行なうかを選択する通信方式選択ステップと、通信方式選択ステップにおける選択に基づいて、同一スロットにおいて多重化された無線信号を受信して複数あるいは単数の無線端末装置からのデータを抽出する第１の通信モードと、第１の通信モードより少ない数で同一スロットにおいて多重化された無線信号を受信して複数あるいは単数の無線端末装置からのデータを抽出する、あるいは多重化されていない無線信号を受信して単数の無線端末装置からのデータを抽出する第２の通信モードとを選択的に実行する受信処理ステップとを実行させる。
【００５７】
好ましくは、通信方式選択ステップにおいては、所定の多値数以上の変調方式で無線基地装置と通信している無線端末装置の数が所定台数以上である場合には、第２の通信モードを実行することを選択し、所定の多値数以上の変調方式で無線基地装置と通信している無線端末装置の数が所定台数未満である場合には、第１の通信モードを実行することを選択する。
【００５８】
好ましくは、通信方式選択ステップにおいては、受信信号の受信レベルが所定の範囲外である無線端末装置の数が所定台数以上である場合には、第２の通信モードを実行することを選択し、受信信号の受信レベルが所定の範囲外である無線端末装置の数が所定台数未満である場合には、第１の通信モードを実行することを選択する。
【００５９】
上記課題を解決するために、この発明の別の局面に係わる通信方式選択プログラムは、無線端末装置と通信する無線基地装置における通信方式選択プログラムであって、コンピュータに、無線端末装置との通信状態を検出する通信状態検出ステップと、検出された通信状態に基づいて、無線端末装置と通信する信号に第１の通信モードによる送信処理を行なうか、または第２の通信モードによる送信処理を行なうかを選択する通信方式選択ステップと、通信方式選択ステップにおける選択に基づいて、複数あるいは単数の無線端末装置へのデータを同一スロットにおいて多重して無線信号を生成し、生成した無線信号を送信する第１の通信モードと、複数あるいは単数の無線端末装置への第１の通信モードより少ない数のデータを同一スロットにおいて多重して無線信号を生成し、あるいは単数の無線端末装置へのデータから多重化されていない無線信号を生成し、生成した無線信号を送信する第２の通信モードとを選択的に実行する送信処理ステップとを実行させる。
【００６０】
好ましくは、通信方式選択ステップにおいては、所定の多値数以上の変調方式で無線基地装置と通信している無線端末装置の数が所定台数以上である場合には、第２の通信モードを実行することを選択し、所定の多値数以上の変調方式で無線基地装置と通信している無線端末装置の数が所定台数未満である場合には、第１の通信モードを実行することを選択する。
【００６１】
好ましくは、通信方式選択ステップにおいては、受信信号の受信レベルが所定の範囲外である無線端末装置の数が所定台数以上である場合には、第２の通信モードを実行することを選択し、受信信号の受信レベルが所定の範囲外である無線端末装置の数が所定台数未満である場合には、第１の通信モードを実行することを選択する。
【発明の効果】
【００６２】
本発明によれば、無線基地装置の通信状態に基づいて適切に通信方式を選択することにより無線基地装置の通信能力の向上を図ることができる。
【発明を実施するための最良の形態】
【００６３】
以下、本発明の実施の形態を図面を参照して詳しく説明する。なお、図中同一または相当部分には同一符号を付してその説明は繰り返さない。
【００６４】
図１は、本発明の実施の形態に係る無線基地装置の構成を示す機能ブロック図である。
【００６５】
［構成および基本動作］
同図を参照して、無線基地装置は、アンテナ１ａ〜アンテナ１ｄと、スイッチ２ａ〜スイッチ２ｄと、受信処理部１００と、送信処理部１０２と、通信方式選択部５０と、通信状態検出部５１と、受信データ処理部２１と、送信データ処理部２２とを備える。
【００６６】
通信状態検出部５１は、ユーザ数検出部２３と、変調方式検出部２４と、測定部２５とを含む。
【００６７】
アンテナ１ａ〜アンテナ１ｄは、無線端末装置からの送信電波（無線信号）を受信し、受信信号としてスイッチ２ａ〜スイッチ２ｄへ出力する。また、アンテナ１ａ〜アンテナ１ｄは、スイッチ２ａ〜スイッチ２ｄから受けた送信信号を送信電波として無線端末装置へ送信する。
【００６８】
スイッチ２ａ〜スイッチ２ｄは、アンテナ１ａ〜アンテナ１ｄから受けた受信信号を受信処理部１００へ出力するか、あるいは送信処理部１０２から受けた送信信号をアンテナ１ａ〜アンテナ１ｄへ送るかを図示しない制御信号に応じて切り替える。
【００６９】
受信処理部１００は、後述する通信方式選択部５０が選択する通信モードに基づいて、スイッチ２ａ〜スイッチ２ｄから受けたＲＦ（Radio Frequency）帯の受信信号の受信処理を行なう。そして、受信処理部１００は、生成した受信データを受信データ処理部２１へ出力する
受信データ処理部２１は、受信処理部１００から受けた受信データの復調および誤り訂正等の受信処理を行なう。
【００７０】
また、受信データ処理部２１は、受信処理部１００から受けた受信データに基づいて、無線端末装置および無線基地装置の通信で使用されているスロットの無線端末装置による解放要求を検出する。さらに、受信データ処理部２１は、受信処理部１００から受けた受信データに基づいて、無線端末装置からのリンクチャネル確立要求、すなわち、スロットの割当要求を検出する。そして、受信データ処理部２１は、スロットの割当要求および解放要求の内容を表わすスロット使用情報を通信方式選択部５０およびユーザ数検出部２３へ出力する。
【００７１】
送信データ処理部２２は、無線端末装置と通信すべきデータを無線端末装置ごとに生成し、生成したデータを変調し、無線端末装置ごとの変調データを送信処理部１０２へ出力する。なお、送信データ処理部２２は、図示しない変調方式選択部を含み、変調方式選択部は、所望の無線端末装置との通信状態および所望の無線端末装置が利用している音声通信やデータ通信等のサービス種別に応じて所望の無線端末装置へ送信する送信データの変調方式を選択する。
【００７２】
送信処理部１０２は、後述する通信方式選択部５０が選択する通信モードに基づいて、無線端末装置ごとの変調データの送信処理を行なう。そして、送信処理部１０２は、生成した送信信号をスイッチ２ａ〜スイッチ２ｄへ出力する。
【００７３】
ユーザ数検出部２３は、受信データ処理部２１からスロット使用情報を受けて、現在１フレーム中の上りスロットおよび下りスロットが何組使用されているか、すなわち、無線基地装置が何台の無線端末装置と通信しているかを検出し、通信中の無線端末装置の数を表わすユーザ数情報を通信方式選択部５０へ出力する。
【００７４】
変調方式検出部２４は、無線基地装置が各無線端末装置との通信に使用している変調方式を検出し、各無線端末装置の変調方式を表わす変調方式情報を通信方式選択部５０へ出力する。
【００７５】
測定部２５は、受信データ処理部２１から無線端末装置ごとの復調データ等を取得して受信レベルを測定し、各無線端末装置からの無線信号の受信レベルを表わす受信レベル情報を通信方式選択部５０へ出力する。
【００７６】
通信方式選択部５０は、ユーザ数検出部２３から受けたユーザ数情報、変調方式検出部２４から受けた変調方式情報および測定部２５から受けた受信レベル情報のうちの少なくともいずれか１つに基づいて、１ＲＦモードで受信処理および送信処理を行なうか、または４ＲＦモードで受信処理および送信処理を行なうかを選択する。
【００７７】
図２は、本発明の実施の形態に係る無線基地装置が行なう受信処理および送信処理の概念図である。
【００７８】
本発明の実施の形態に係る無線基地装置は、２つの通信モードに対応している。すなわち、この無線基地装置は、同図（ａ）に示す１ＲＦモードまたは同図（ｂ）に示す４ＲＦモードを選択して受信処理および送信処理を行なう。
【００７９】
まず、本発明の実施の形態に係る無線基地装置が行なう１ＲＦモードおよび４ＲＦモードによる受信処理について説明する。
【００８０】
受信処理部１００は、１ＲＦモードが選択されている場合には、搬送波の周波数が同一であるスイッチ２ａ〜スイッチ２ｄから受けたＲＦ（Radio Frequency）帯の受信信号をベースバンド信号に周波数変換し、アナログ信号であるベースバンド信号をデジタル信号である受信データに変換する。そして、受信処理部１００は、たとえば、同一スロットにおいて同一周波数の搬送波を使用して無線端末装置から送信された無線信号に含まれるデータの受信処理を行なう場合には、アンテナ１ａ〜アンテナ１ｄに対応する４系統の受信データにアダプティブアレイ処理による受信処理を行なうことにより、無線信号に含まれるデータを無線端末装置ごとに抽出する。そして、受信処理部１００は、抽出した無線端末装置ごとのデータをアレイ受信データとして受信データ処理部２１へ出力する。
【００８１】
したがって、受信処理部１００は、アンテナ１ａ〜アンテナ１ｄに対応する４系統の受信信号から無線端末装置ごとのデータを抽出することができる。
【００８２】
また、たとえば、１台で複数の無線信号を同一スロットにて送信する無線端末装置に対しても、受信処理部１００は、無線端末装置が送信した複数の無線信号に対応するデータをそれぞれ抽出することができる。
【００８３】
また、受信処理部１００は、４ＲＦモードが選択されている場合には、搬送波の周波数がそれぞれ異なるスイッチ２ａ〜スイッチ２ｄから受けたＲＦ帯の受信信号をベースバンド信号に周波数変換し、アナログ信号であるベースバンド信号をデジタル信号である受信データに変換する。そして、受信処理部１００は、アンテナ１ａ〜アンテナ１ｄに対応する４系統の受信データを受信データ処理部２１へ出力する。
【００８４】
次に、本発明の実施の形態に係る無線基地装置が行なう１ＲＦモードおよび４ＲＦモードによる送信処理について説明する。
【００８５】
送信処理部１０２は、１ＲＦモードが選択されている場合には、変調データにアダプティブアレイ処理による送信処理を行なってアンテナ１ａ〜アンテナ１ｄに対応する４系統のアレイ送信データを生成する。そして、送信処理部１０２は、変調データの送信処理を行なう場合には、４系統のアレイ送信データを無線端末装置ごとに生成する。そして、送信処理部１０２は、アンテナごとに各無線端末装置のアレイ送信データを合成する。そして、送信処理部１０２は、合成された４系統のアレイ送信データを搬送波の周波数が同一である４系統の送信信号にそれぞれ周波数変換し、スイッチ２ａ〜スイッチ２ｄへ出力する。
【００８６】
したがって、送信処理部１０２は、無線端末装置ごとのアレイ送信データをそれぞれ生成し、これらをアンテナごとにアレイ合成して多重することができる。
【００８７】
また、たとえば、１台で複数の無線信号を同一スロットにて送信する無線端末装置に対しても、送信処理部１０２は、無線端末装置が受信する複数の無線信号に対応するアレイ送信データをそれぞれ生成し、これらをアンテナごとにアレイ合成して多重することができる。
【００８８】
また、送信処理部１０２は、４ＲＦモードが選択されている場合には、無線端末装置ごとの変調データをそれぞれ搬送波の周波数が異なる４系統の送信信号に周波数変換し、スイッチ２ａ〜スイッチ２ｄへ出力する。
【００８９】
［動作例１］
次に、本発明の実施の形態に係る無線基地装置が通信方式を選択する際の動作について図面を用いて説明する。
【００９０】
図３は、本発明の実施の形態に係る無線基地装置における通信方式選択部５０が通信方式を１ＲＦモードから４ＲＦモードに変更する際の動作手順を定めたフローチャートである。受信処理部１００と、送信処理部１０２と、通信方式選択部５０と、通信状態検出部５１と、受信データ処理部２１と、送信データ処理部２２とは、フローチャートの各ステップを備えるプログラムを図示しないメモリから読み出して実行する。このプログラムは、外部からインストールすることができる。
【００９１】
通信方式選択部５０は、この無線基地装置が１ＲＦモードで受信処理および送信処理を行なっている場合であって（Ｓ１でＹＥＳ）、受信データ処理部２１から受けたスロット使用情報が、新たに無線端末装置がスロットの割当要求を行なったことを表わすときには（Ｓ２でＹＥＳ）、通信方式の選択処理を開始する（Ｓ３）。
【００９２】
次に、通信方式選択部５０は、ユーザ数検出部２３から受けたユーザ数情報および変調方式検出部２４から受けた変調方式情報に基づいて、多値数が所定値以上の変調方式で無線基地装置と通信している無線端末装置の数が所定値以上であると認識した場合には（Ｓ４でＹＥＳ）、４ＲＦモードで受信処理および送信処理を行なうことを決定する。
【００９３】
より詳細には、通信方式選択部５０は、１６ＱＡＭ（直交振幅変調：Quadrature Amplitude Modulation）変調方式の多値数である１６以上の多値数を有する変調方式で無線端末装置との通信が行なわれているスロットが２個以上である場合には（Ｓ４でＹＥＳ）、４ＲＦモードで受信処理および送信処理を行なうことを決定し、決定した通信方式を表わす通信方式情報を受信処理部１００および送信処理部１０２へ出力する。なお、多値数およびスロット数はこれに限定するものではなく、他の数値であってもよい。
【００９４】
受信処理部１００および送信処理部１０２は、通信方式選択部５０から通信方式情報を受けて、４ＲＦモードによる受信処理および送信処理を行なう（Ｓ６）。
【００９５】
そして、受信データ処理部２１および送信データ処理部２２は、スロットの割当要求を行なった無線端末装置にスロットを割り当てる。より詳細には、受信データ処理部２１は、新たに割り当てたスロットのタイミングにおいて、スロットの割当要求を行なった無線端末装置に対応する、受信処理部１００から受けた受信データの復調および誤り訂正等の受信処理を開始する。また、送信データ処理部２２は、スロットの割当要求を行なった無線端末装置と通信すべきデータを生成し、新たに割り当てたスロットのタイミングで送信処理部１０２へ出力する（Ｓ７）。
【００９６】
一方、通信方式選択部５０は、ユーザ数検出部２３から受けたユーザ数情報および変調方式検出部２４から受けた変調方式情報に基づいて、１６ＱＡＭ変調方式の多値数である１６以上の多値数を有する変調方式で無線端末装置との通信が行なわれているスロットが２個未満である場合には（Ｓ４でＮＯ）、１ＲＦモードで受信処理および送信処理を行なうことを決定し、決定した通信方式を表わす通信方式情報を受信処理部１００および送信処理部１０２へ出力する（Ｓ８）。
【００９７】
受信処理部１００および送信処理部１０２は、通信方式選択部５０から通信方式情報を受けて、１ＲＦモードによる受信処理および送信処理を継続する。（Ｓ９）。
【００９８】
そして、受信データ処理部２１および送信データ処理部２２は、スロットの割当要求を行なった無線端末装置にスロットを割り当てる。より詳細には、受信データ処理部２１は、新たに割り当てたスロットのタイミングにおいて、スロットの割当要求を行なった無線端末装置に対応する、受信処理部１００から受けた受信データの復調および誤り訂正等の受信処理を開始する。また、送信データ処理部２２は、スロットの割当要求を行なった無線端末装置と通信すべきデータを生成し、新たに割り当てたスロットのタイミングで送信処理部１０２へ出力する（Ｓ１０）。
【００９９】
図４は、本発明の実施の形態に係る無線基地装置における通信方式選択部５０が通信方式を４ＲＦモードから１ＲＦモードに変更する際の動作手順を定めたフローチャートである。受信処理部１００と、送信処理部１０２と、通信方式選択部５０と、通信状態検出部５１と、受信データ処理部２１と、送信データ処理部２２とは、フローチャートの各ステップを備えるプログラムを図示しないメモリから読み出して実行する。このプログラムは、外部からインストールすることができる。
【０１００】
通信方式選択部５０は、この無線基地装置が４ＲＦモードで受信処理および送信処理を行なっている場合であって（Ｓ１１でＹＥＳ）、受信データ処理部２１から受けたスロット使用情報が、無線端末装置がスロットの解放要求を行なったことを表わすときには（Ｓ１２でＹＥＳ）、通信方式の選択処理を開始する（Ｓ１３）。
【０１０１】
次に、通信方式選択部５０は、ユーザ数検出部２３から受けたユーザ数情報および変調方式検出部２４から受けた変調方式情報に基づいて、多値数が所定値以上の変調方式で無線基地装置と通信している無線端末装置の数が所定値未満であると認識した場合には（Ｓ１４でＹＥＳ）、１ＲＦモードで受信処理および送信処理を行なうことを決定する（Ｓ１５）。
【０１０２】
より詳細には、通信方式選択部５０は、１６ＱＡＭ変調方式の多値数である１６以上の多値数を有する変調方式で無線端末装置との通信が行なわれているスロットが２個未満である場合には（Ｓ１４でＹＥＳ）、１ＲＦモードで受信処理および送信処理を行なうことを決定し、決定した通信方式を表わす通信方式情報を受信処理部１００および送信処理部１０２へ出力する。なお、多値数およびスロット数はこれに限定するものではなく、他の数値であってもよい。
【０１０３】
受信処理部１００および送信処理部１０２は、通信方式選択部５０から通信方式情報を受けて、１ＲＦモードで受信処理および送信処理を行なう。（Ｓ１６）。
【０１０４】
一方、通信方式選択部５０は、１６ＱＡＭ変調方式の多値数である１６以上の多値数を有する変調方式で無線端末装置との通信が行なわれているスロットが２個以上である場合には（Ｓ１４でＮＯ）、４ＲＦモードで受信処理および送信処理を行なうことを決定し、決定した通信方式を表わす通信方式情報を受信処理部１００および送信処理部１０２へ出力する（Ｓ１７）。
【０１０５】
受信処理部１００および送信処理部１０２は、通信方式選択部５０から通信方式情報を受けて、４ＲＦモードによる受信処理および送信処理を継続する。（Ｓ１８）。
【０１０６】
このように、本発明の実施の形態に係る無線基地装置では、多値数の多い変調方式で通信を行なっている無線端末装置が多い場合には、干渉波等の影響による受信エラーが生じやすい無線端末装置が多いことから、無線基地装置および無線端末装置における受信エラーを防止するために４ＲＦモードを選択する。一方、多値数の多い変調方式で通信を行なっている無線端末装置が少ない場合には、干渉波等の影響による受信エラーが生じにくい無線端末装置が多いことから、隣接する他の無線基地装置への干渉抑圧効果も得られる１ＲＦモードを選択する。
【０１０７】
［動作例２］
次に、本発明の実施の形態に係る無線基地装置が通信方式を選択する際の動作の変形例について図面を用いて説明する。
【０１０８】
図５は、本発明の実施の形態に係る無線基地装置における通信方式選択部５０が通信方式を１ＲＦモードから４ＲＦモードに変更する際の動作手順を定めたフローチャートである。受信処理部１００と、送信処理部１０２と、通信方式選択部５０と、通信状態検出部５１と、受信データ処理部２１と、送信データ処理部２２とは、フローチャートの各ステップを備えるプログラムを図示しないメモリから読み出して実行する。このプログラムは、外部からインストールすることができる。
【０１０９】
通信方式選択部５０は、この無線基地装置が１ＲＦモードで受信処理および送信処理を行なっている場合であって（Ｓ２１でＹＥＳ）、受信データ処理部２１から受けたスロット使用情報が、新たに無線端末装置がスロットの割当要求を行なったことを表わすときには（Ｓ２２でＹＥＳ）、通信方式の選択処理を開始する（Ｓ２３）。
【０１１０】
次に、通信方式選択部５０は、測定部２５から受けた受信レベル情報に基づいて、強電界または弱電界の無線端末装置、すなわち、受信レベルが所定値以上または所定値未満である無線端末装置が２台以上存在すると認識した場合には（Ｓ２４でＹＥＳ）、４ＲＦモードで受信処理および送信処理を行なうことを決定し、決定した通信方式を表わす通信方式情報を受信処理部１００および送信処理部１０２へ出力する。
【０１１１】
受信処理部１００および送信処理部１０２は、通信方式選択部５０から通信方式情報を受けて、４ＲＦモードによる受信処理および送信処理を行なう（Ｓ２６）。
【０１１２】
そして、受信データ処理部２１および送信データ処理部２２は、スロットの割当要求を行なった無線端末装置にスロットを割り当てる。より詳細には、受信データ処理部２１は新たに割り当てたスロットのタイミングにおいて、スロットの割当要求を行なった無線端末装置に対応する、受信処理部１００から受けた受信データの復調および誤り訂正等の受信処理を開始する。また、送信データ処理部２２は、スロットの割当要求を行なった無線端末装置と通信すべきデータを生成し、新たに割り当てたスロットのタイミングで送信処理部１０２へ出力する（Ｓ２７）。
【０１１３】
一方、通信方式選択部５０は、測定部２５から受けた受信レベル情報に基づいて、強電界または弱電界の無線端末装置、すなわち、受信レベルが所定値以上または所定値未満である無線端末装置が２台未満存在すると認識した場合には（Ｓ２４でＮＯ）、１ＲＦモードで受信処理および送信処理を行なうことを決定し、決定した通信方式を表わす通信方式情報を受信処理部１００および送信処理部１０２へ出力する（Ｓ２８）。なお、通信方式選択部５０が選択基準とする無線端末装置の台数は４台に限定するものではなく、他の台数であってもよい。
【０１１４】
受信処理部１００および送信処理部１０２は、通信方式選択部５０から通信方式情報を受けて、１ＲＦモードによる受信処理および送信処理を継続する。（Ｓ２９）。
【０１１５】
そして、受信データ処理部２１および送信データ処理部２２は、スロットの割当要求を行なった無線端末装置にスロットを割り当てる。より詳細には、受信データ処理部２１は、新たに割り当てたスロットのタイミングにおいて、スロットの割当要求を行なった無線端末装置に対応する、受信処理部１００から受けた受信データの復調および誤り訂正等の受信処理を開始する。また、送信データ処理部２２は、スロットの割当要求を行なった無線端末装置と通信すべきデータを生成し、新たに割り当てたスロットのタイミングで送信処理部１０２へ出力する（Ｓ２０）。
【０１１６】
図６は、本発明の実施の形態に係る無線基地装置における通信方式選択部５０が通信方式を４ＲＦモードから１ＲＦモードに変更する際の動作手順を定めたフローチャートである。受信処理部１００と、送信処理部１０２と、通信方式選択部５０と、通信状態検出部５１と、受信データ処理部２１と、送信データ処理部２２とは、フローチャートの各ステップを備えるプログラムを図示しないメモリから読み出して実行する。このプログラムは、外部からインストールすることができる。
【０１１７】
通信方式選択部５０は、この無線基地装置が１ＲＦモードで受信処理および送信処理を行なっている場合であって（Ｓ３１でＹＥＳ）、受信データ処理部２１から受けたスロット使用情報が、無線端末装置がスロットの解放要求を行なったことを表わすときには（Ｓ３２でＹＥＳ）、通信方式の選択処理を開始する（Ｓ３３）。
【０１１８】
次に、通信方式選択部５０は、測定部２５から受けた受信レベル情報に基づいて、強電界または弱電界の無線端末装置、すなわち、受信レベルが所定値以上または所定値未満である無線端末装置が２台未満存在すると認識した場合には（Ｓ３４でＹＥＳ）、１ＲＦモードで受信処理および送信処理を行なうことを決定し、決定した通信方式を表わす通信方式情報を受信処理部１００および送信処理部１０２へ出力する（Ｓ３５）。
【０１１９】
受信処理部１００および送信処理部１０２は、通信方式選択部５０から通信方式情報を受けて、１ＲＦモードで受信処理および送信処理を行なう。（Ｓ３６）。
【０１２０】
一方、通信方式選択部５０は、受信レベルが所定値以上または所定値未満である無線端末装置が２台以上存在すると認識した場合には場合には（Ｓ３４でＮＯ）、４ＲＦモードで受信処理および送信処理を行なうことを決定し、決定した通信方式を表わす通信方式情報を受信処理部１００および送信処理部１０２へ出力する（Ｓ３７）。なお、通信方式選択部５０が選択基準とする無線端末装置の台数は４台に限定するものではなく、他の台数であってもよい。
【０１２１】
受信処理部１００および送信処理部１０２は、通信方式選択部５０から通信方式情報を受けて、４ＲＦモードによる受信処理および送信処理を継続する。（Ｓ３８）。
【０１２２】
このように、本発明の実施の形態に係る無線基地装置では、強電界または弱電界の無線端末装置が多い場合には、ＳＤＭＡ方式において受信エラーを生じやすい無線端末装置が多くなる可能性があることから、無線基地装置および無線端末装置における受信エラーを防止するために、多重を行なわない従来の通信方式を選択する。一方、強電界または弱電界の無線端末装置が少ない場合には、ＳＤＭＡ方式において受信エラーを生じやすい無線端末装置が少なくなる可能性があることから、隣接する他の無線基地装置への干渉抑圧効果も得られるＳＤＭＡ方式を選択する。
【０１２３】
ところで、非特許文献２および特許文献１記載の無線基地装置は、ＳＤＭＡ方式および適応変調方式のいずれか一方にのみ対応する構成であり、ＳＤＭＡ方式および適応変調方式の両方に対応する構成ではなく、また、非特許文献２および特許文献１記載の無線基地装置を単に組み合わせた構成では、無線基地装置の通信状態に基づいて効率的に通信を行なうことができないという問題点があった。
【０１２４】
しかしながら、本発明の実施の形態に係る無線基地装置では、無線基地装置および無線端末装置間の通信で使用する変調方式、または無線端末装置から送信される無線信号の受信レベルに基づいて１ＲＦモードで受信処理および送信処理を行なうか、または４ＲＦモードで受信処理および送信処理を行なうかを選択する。
【０１２５】
したがって、本発明の実施の形態に係る無線基地装置では、無線基地装置の通信状態に基づいて適切に通信方式を選択することにより無線基地装置の通信能力の向上を図ることができる。
【０１２６】
［変形例］
本発明は、上記実施の形態に限定されるものではなく、たとえば以下の変形例も含まれる。
【０１２７】
（１）  通信モード
本発明の実施の形態に係る無線基地装置は、図２（ａ）に示す１ＲＦモードまたは図２（ｂ）に示す４ＲＦモードを選択して受信処理および送信処理を行なう構成としたが、これに限定するものではない。１ＲＦモードの代わりに、４ＲＦモードよりも多重度の低い通信モードで受信処理および送信処理を行なう構成とすることができる。
【０１２８】
図７は、２ＲＦモードにおける無線基地装置の受信処理および送信処理の概念図である。この場合、受信処理部１００は、アンテナ１ａ〜アンテナ１ｂに対応する２系統の受信信号から無線端末装置ごとのデータを抽出し、かつ、アンテナ１ｃ〜アンテナ１ｄに対応する２系統の受信信号から無線端末装置ごとのデータを抽出することができる。また、送信処理部１０２は、無線端末装置ごとのアレイ送信データをそれぞれ生成し、アンテナごとにアレイ合成して多重することができる。
【０１２９】
ここで、通信方式選択部５０は、前述の動作例１および動作例２と同様に、１ＲＦモードおよび２ＲＦモード間の通信方式の選択、２ＲＦモードおよび４ＲＦモード間の通信方式の選択、または１ＲＦモード、２ＲＦモードおよび４ＲＦモード間の通信方式の選択を行なう構成とすることができる。
【０１３０】
（２）  送信処理および受信処理における通信モードの選択
本発明の実施の形態に係る無線基地装置は、受信処理部１００および送信処理部１０２を備え、通信方式選択部５０は、１ＲＦモードで受信処理および送信処理を行なうか、または４ＲＦモードで受信処理および送信処理を行なうかを選択する構成としたが、これに限定するものではない。
【０１３１】
無線基地装置が、受信処理部１００および送信処理部１０２のいずれか一方を備え、これに対応して、通信方式選択部５０が、１ＲＦモードで受信処理を行なうかまたは４ＲＦモードで受信処理を行なうかを選択する構成か、または１ＲＦモードで送信処理を行なうかまたは４ＲＦモードで送信処理を行なうかを選択する構成であればよい。
【０１３２】
このような構成であっても、無線基地装置の通信状態に基づいて適切に通信方式を選択することにより無線基地装置の通信能力の向上を図るという本発明の目的を達成することができる。
【０１３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３４】
【図１】本発明の実施の形態に係る無線基地装置の構成を示す機能ブロック図である。
【図２】本発明の実施の形態に係る無線基地装置が行なう受信処理および送信処理の概念図である。
【図３】本発明の実施の形態に係る無線基地装置における通信方式選択部５０が通信方式を１ＲＦモードから４ＲＦモードに変更する際の動作手順を定めたフローチャートである。
【図４】本発明の実施の形態に係る無線基地装置における通信方式選択部５０が通信方式を４ＲＦモードから１ＲＦモードに変更する際の動作手順を定めたフローチャートである。
【図５】本発明の実施の形態に係る無線基地装置における通信方式選択部５０が通信方式を１ＲＦモードから４ＲＦモードに変更する際の動作手順を定めたフローチャートである。
【図６】本発明の実施の形態に係る無線基地装置における通信方式選択部５０が通信方式を４ＲＦモードから１ＲＦモードに変更する際の動作手順を定めたフローチャートである。
【図７】２ＲＦモードにおける無線基地装置の受信処理および送信処理の概念図である。
【図８】ＳＤＭＡ受信処理部２００の構成を示す機能ブロック図である。
【図９】ＳＤＭＡ送信処理部２０１の構成を示す機能ブロック図である。
【符号の説明】
【０１３５】
１ａ〜１ｄ  アンテナ、２ａ〜２ｄ  スイッチ、１００  受信処理部、１０２  送信処理部、２００  ＳＤＭＡ受信処理部、２０１  ＳＤＭＡ送信処理部、５０  通信方式選択部、５１  通信状態検出部、２１  受信データ処理部、２２  送信データ処理部、２３  ユーザ数検出部、２４  変調方式検出部、２５  測定部、５２  ＳＤＭＡ受信部、５３ａ〜５３ｃ  アダプティブアレイ受信処理部、４ａ〜４ｄ  乗算器、５  加算器、６  受信ウェイト生成部、７  受信ウェイト設定部、８  参照信号用メモリ、６１ａ〜６１ｃ  アダプティブアレイ送信処理部、６２  ＳＤＭＡ送信部、１７ａ〜１７ｄ  加算器、９  送信ウェイト生成部、１５  送信ウェイト設定部、１６ａ〜１６ｄ  乗算器。
【図１】
2006287727.tif 000003
【図２】
2006287727.tif 000004
【図３】
2006287727.tif 000005
【図４】
2006287727.tif 000006
【図５】
2006287727.tif 000007
【図６】
2006287727.tif 000008
【図７】
2006287727.tif 000009
【図８】
2006287727.tif 000010
【図９】
2006287727.tif 000011